(57)【要約】      （修正有）【課題】装置構成のコンパクト化が図れ、熱媒液の交換や補充等も容易に実施できる強制循環式太陽熱温水器を提供する。【解決手段】太陽熱エネルギーを集める集熱板１１と貯湯用タンク１２に配置された熱交換器１３との間を、往き管１４と戻り管１５を介して集熱板１１に熱媒を送る往き管１４に設けられた循環用ポンプ１６により熱媒を循環させ、集熱板１１で加熱された熱媒で貯湯用タンク１２内の水を加熱する強制循環式太陽熱温水器１０において、循環用ポンプ１６の上流側の往き管１４に熱媒量調整タンク１７を設けると共に、熱媒量調整タンク１７より下位置に熱媒貯留タンク２４を設け、熱媒量調整タンク１７と熱媒貯留タンク２４とを、熱媒量調整タンク１７の圧力上昇及び圧力下降によって開き、熱媒量調整タンク１７の上部に設けられている液量調整弁を介して連結した。【選択図】図２
2010101562.tif 000002
【特許請求の範囲】
【請求項１】
太陽熱エネルギーを集める集熱板と貯湯用タンクに配置された熱交換器との間を、往き管と戻り管を介して前記集熱板に熱媒を送る前記往き管に設けられた循環用ポンプにより熱媒を循環させ、前記集熱板で加熱された熱媒で前記貯湯用タンク内の水を加熱する強制循環式太陽熱温水器において、
前記循環用ポンプの上流側の前記往き管に熱媒量調整タンクを設けると共に、該熱媒量調整タンクより下位置に熱媒貯留タンクを設け、前記熱媒量調整タンクと前記熱媒貯留タンクとを、前記熱媒量調整タンクの圧力上昇及び圧力下降によって開き、該熱媒量調整タンクの上部に設けられている液量調整弁を介して連結したことを特徴とする強制循環式太陽熱温水器。
【請求項２】
請求項１記載の強制循環式太陽熱温水器において、前記貯湯用タンク、前記熱媒量調整タンク、及び前記熱媒貯留タンクは、１つのケーシング内に収納され、しかも前記貯湯用タンクの下部には給水管が設けられ、該貯湯用タンクが前記ケーシングの底板の上面とは空間を有して配置され、該空間に前記熱媒貯留タンクが配置されていることを特徴とする強制循環式太陽熱温水器。
【請求項３】
請求項２記載の強制循環式太陽熱温水器において、前記貯湯用タンクの側方には、前記ケーシング内に立設配置された仕切り板を介して前記熱媒量調整タンクが配置されていることを特徴とする強制循環式太陽熱温水器。
【請求項４】
請求項３記載の強制循環式太陽熱温水器において、前記熱媒貯留タンクは、前記液量調整弁とは連通管を介して連結され、該熱媒貯留タンクの熱媒注入口は前記ケーシング内の無機器スペースに突出していることを特徴とする強制循環式太陽熱温水器。
【請求項５】
請求項１〜４のいずれか１項に記載の強制循環式太陽熱温水器において、前記熱媒貯留タンクは、大気開放となって、液面計が設けられていることを特徴とする強制循環式太陽熱温水器。
【発明の詳細な説明】
【技術分野】
【０００１】
本発明は、太陽熱エネルギーにより、例えば、風呂や台所などに給湯する強制循環式太陽熱温水器に関する。
【背景技術】
【０００２】
従来、太陽熱エネルギーにより、例えば、風呂や台所などに給湯する温水器としては、不凍液等の熱媒を使用した間接加熱方式の強制循環式太陽熱温水器（以下、単に温水器ともいう）がある（例えば、特許文献１、２参照）。
具体的には、図４に示すように、太陽熱エネルギーを集める集熱板１００と貯湯用タンク１０１内に配置された熱交換器１０２とを、集熱板１００に熱媒を送る往き管１０３と集熱板１００で加熱された熱媒を熱交換器１０２へ送る戻り管１０４で接続し、往き管１０３に設けられた循環用ポンプ１０５により熱媒貯留タンク１０６内の熱媒を循環させ、この熱媒で貯湯用タンク１０１内の水を加熱するものである。なお、貯湯用タンク１０１には、貯湯用タンク１０１へ水道から給水するための給水管１０７と、貯湯用タンク１０１内の加熱された水を風呂や台所へ送る給湯管１０８が取付けられている。
【０００３】
上記した熱媒貯留タンク１０６には、上部が開口した大気開放型のものが従来から使用されており、往き管１０３内及び戻り管１０４内に入り込んだ空気を、熱媒貯留タンク１０６で抜いていた（例えば、特許文献３参照）。
この熱媒貯留タンク１０６は、例えば、長期の使用や環境条件の変化により、熱媒の体積膨張や揮発が生じた場合に、往き管１０３及び戻り管１０４を流れる熱媒の量が大きく変動するため、熱媒貯留タンク１０６の容量が大きかった（例えば、１０〜２０リットル程度）。
また、熱媒貯留タンク１０６は大気開放型であり、往き管１０３内への空気巻き込み防止のため、往き管１０３に設ける循環用ポンプ１０５を、熱媒貯留タンク１０６の下方に配置する必要があった。
【０００４】
【特許文献１】特開２００６−２８４０６９号公報
【特許文献２】特開平１１−１８２９４１号公報
【特許文献３】特開２００４−２５１５９１号公報
【発明の開示】
【発明が解決しようとする課題】
【０００５】
しかしながら、熱媒貯留タンク１０６は、その容量が大きいため、温水器を構成する他の部品や管等のレイアウトに制限を与えることになり、温水器のコンパクト化の妨げとなっていた。なお、貯湯用タンク１０１と熱媒貯留タンク１０６等を１つのケーシング内に収納する場合、貯湯用タンク１０１の下部に水の給水管が接続されているため、貯湯用タンク１０１とケーシングの底板の上面との間に空間部が形成される。そこで、この空間部に熱媒貯留タンク１０６を配置することも考えられるが、前記したように、循環用ポンプ１０５は熱媒貯留タンク１０６の下方に配置しなければならず、この空間部がデッドスペースとなり、温水器のコンパクト化が図れなかった。また、この空間部に、温水器の他の機器を配置することも考えられるが、貯湯用タンク１０１の下部は結露等が発生する恐れがあるため、例えば、電装品（制御部品）等の配置もできなかった。
更に、熱媒液が劣化したり、熱媒液の量が減少した場合には、熱媒液を交換したり、補充する必要があるが、この場合、循環用ポンプ１０５を停止（即ち、強制循環式太陽熱温水器を停止）した後に作業を行わなければならず、作業性が悪かった。
【０００６】
本発明はかかる事情に鑑みてなされたもので、装置構成のコンパクト化が図れ、熱媒液の交換や補充等も容易に実施できる強制循環式太陽熱温水器を提供することを目的とする。
【課題を解決するための手段】
【０００７】
前記目的に沿う本発明に係る強制循環式太陽熱温水器は、太陽熱エネルギーを集める集熱板と貯湯用タンクに配置された熱交換器との間を、往き管と戻り管を介して前記集熱板に熱媒を送る前記往き管に設けられた循環用ポンプにより熱媒を循環させ、前記集熱板で加熱された熱媒で前記貯湯用タンク内の水を加熱する強制循環式太陽熱温水器において、
前記循環用ポンプの上流側の前記往き管に熱媒量調整タンクを設けると共に、該熱媒量調整タンクより下位置に熱媒貯留タンクを設け、前記熱媒量調整タンクと前記熱媒貯留タンクとを、前記熱媒量調整タンクの圧力上昇及び圧力下降によって開き、該熱媒量調整タンクの上部に設けられている液量調整弁を介して連結した。
【０００８】
本発明に係る強制循環式太陽熱温水器において、前記貯湯用タンク、前記熱媒量調整タンク、及び前記熱媒貯留タンクは、１つのケーシング内に収納され、しかも前記貯湯用タンクの下部には給水管が設けられ、該貯湯用タンクが前記ケーシングの底板の上面とは空間を有して配置され、該空間に前記熱媒貯留タンクが配置されていることが好ましい。
【０００９】
本発明に係る強制循環式太陽熱温水器において、前記貯湯用タンクの側方には、前記ケーシング内に立設配置された仕切り板を介して前記熱媒量調整タンクが配置されていることが好ましい。
【００１０】
本発明に係る強制循環式太陽熱温水器において、前記熱媒貯留タンクは、前記液量調整弁とは連通管を介して連結され、該熱媒貯留タンクの熱媒注入口は前記ケーシング内の無機器スペースに突出していることが好ましい。
【００１１】
本発明に係る強制循環式太陽熱温水器において、前記熱媒貯留タンクは、大気開放となって、液面計が設けられていることが好ましい。
【発明の効果】
【００１２】
本発明に係る強制循環式太陽熱温水器は、熱媒量調整タンクと熱媒貯留タンクとを、熱媒量調整タンクの圧力上昇及び圧力下降によって開き、熱媒量調整タンクの上部に設けられている液量調整弁を介して連結するので、熱媒の大部分を熱媒貯留タンクに貯留することができ、熱媒量調整タンクの容量を小さくできる。これにより、熱媒量調整タンクの設置スペースをコンパクトにできるため、強制循環式太陽熱温水器を構成する他の部品や管等のレイアウトの自由度を大きくでき、装置構成のコンパクト化が図れる。
また、従来１つであった熱媒のタンクを、熱媒量調整タンクと熱媒貯留タンクに分けて構成することで、熱媒の交換や補充等を行う場合には、熱媒を熱媒量調整タンクに供給することなく、熱媒貯留タンクへ供給すればよい。これにより、循環用ポンプを停止することなく（即ち、太陽熱温水器を停止することなく）熱媒の交換や補充等を実施できるので、作業性が良好になる。
【００１３】
更に、貯湯用タンク、熱媒量調整タンク、及び熱媒貯留タンクを、１つのケーシング内に収納し、貯湯用タンクと底板の上面との空間に熱媒貯留タンクを配置する場合には、従来デッドスペースであった空間部の有効利用が図れ、装置構成を更にコンパクト化できる。
また、熱媒貯留タンクの熱媒注入口を、ケーシング内の無機器スペースに突出させる場合には、熱媒の補充作業を容易にできる。
【発明を実施するための最良の形態】
【００１４】
続いて、添付した図面を参照しつつ、本発明を具体化した実施の形態につき説明し、本発明の理解に供する。
ここで、図１は本発明の一実施の形態に係る強制循環式太陽熱温水器の一部切欠き斜視図、図２は同強制循環式太陽熱温水器の作動原理の説明図、図３は同強制循環式太陽熱温水器の熱媒制御機構の説明図である。
【００１５】
図１〜図３に示すように、本発明の一実施の形態に係る強制循環式太陽熱温水器（以下、単に温水器ともいう）１０は、太陽熱エネルギーを集める集熱板１１と貯湯用タンク１２内の下側に配置された熱交換器１３との間を、往き（ソーラ往き）管１４と戻り（ソーラ戻り）管１５を介して、集熱板１１に熱媒を送る往き管１４に設けられた循環用ポンプ１６により熱媒を循環させ、集熱板１１で加熱された熱媒で貯湯用タンク１２内の水を加熱する装置である。この熱媒は、従来公知の不凍液（例えば、水にプロピレングリコール及び防錆剤を添加して調整したもので、水に比較して高い電気導電性を示す液）である。
なお、貯湯用タンク１２及び循環用ポンプ１６等は、その周囲がケーシングで囲まれているが、説明の便宜上、図１にはケーシングの周囲側壁を取外した状態を示している。
以下、まず、図２、図３を参照しながら、温水器１０の作動原理について説明した後、図１を参照しながら、温水器１０のレイアウトについて説明する。
【００１６】
温水器１０は、集熱板１１で加熱された不凍液で貯湯用タンク１２内の水を加熱する集熱運転のできる時間帯として設定された集熱判定時間帯において、集熱運転が停止の際に、一定時間（例えば、１５分）毎に集熱運転の可否を判定し、集熱運転が可能と判定される場合にのみ、集熱板１１で加熱された不凍液を熱交換器１３と集熱板１１の間で循環させて貯湯用タンク１１内の水の加熱を行う制御手段（図示しない）を有している。
集熱板１１は、いわゆるソーラパネルであり、２枚で構成しているが、温水器１０の規模に応じて、１枚で構成してもよく、また３枚以上の複数枚で構成してもよい。
貯湯用タンク１２は、例えば、水を１００〜３００リットル程度貯留できるものである。
【００１７】
往き管１４は、熱交換器１３と集熱板１１とを接続し、熱交換器１３で熱が奪われた不凍液を集熱板１１へ送る配管であり、その途中位置には、上流側から下流側へかけて、アキュームタンク（熱媒量調整タンクの一例）１７、循環用ポンプ１６、及び不凍液の温度を測定するサーミスタ１８が、順次取付けられている。なお、熱交換器１３からアキュームタンク１７への往き管１４のアキュームタンク１７に対する取付け位置は、アキュームタンク１７の下側側部であり、アキュームタンク１７から集熱板１１への往き管１４のアキュームタンク１７に対する取付け位置は、アキュームタンク１７の下端部となっている。
このように、往き管１４にアキュームタンク１７を設け、しかもアキュームタンク１７を循環用ポンプ１６の上流側の往き管１４に配置するので、熱交換器１３で熱が奪われた後の不凍液をアキュームタンク１７内へ送ることができる。
【００１８】
また、戻り管１５は、集熱板１１と熱交換器１３とを接続し、集熱板１１で加熱された不凍液を熱交換器１３へ送る配管であり、その途中位置には、上流側から下流側へかけて、不凍液の温度を測定するサーミスタ１９及び三方弁２０が、順次取付けられている。
この三方弁２０は、バイパス管２１を介してアキュームタンク１７に接続されている。なお、バイパス管２１のアキュームタンク１７に対する取付け位置は、貯湯用タンク１２に接続された熱交換器１３からの往き管１４の上方位置である。
以上に示した往き管１４、戻り管１５、及びバイパス管２１は、それぞれ耐食性を有する金属（例えば、ステンレス、銅又は銅合金）で構成されており、この往き管１４と戻り管１５により、集熱板１１と熱交換器１３との間の循環路が構成されている。
【００１９】
これにより、制御手段が、現在時刻を測定し、現在時刻が予め設定された集熱判定時間帯にある場合で、集熱板１１で加熱された不凍液で貯湯用タンク１２内の水を加熱する集熱運転が停止の際に、一定時間毎に循環用ポンプ１６をオンにして、集熱板１１で加熱された不凍液を、集熱板１１から戻り管１５の一部、三方弁２０、バイパス管２１、アキュームタンク１７、及び往き管１４の一部を用いて循環させながら、戻り管１５に設けたサーミスタ１９で不凍液の温度を測定し、貯湯用タンク１２内下端部の水温の測定値との差を求め、集熱運転の可否を判定できる。ここで、制御手段が、集熱運転を可と判定した場合には、三方弁２０を操作し、バイパス管２１と戻り管１５を非連通状態にして、不凍液を戻り管１５を介して熱交換器１３に供給する。一方、集熱運転を否と判定した場合には、バイパス管２１と戻り管１５との連通状態を維持し循環用ポンプ１６をオフにする。
【００２０】
アキュームタンク１７の上部には、上部制御室２２が設けられている。この上部制御室２２には、不凍液の膨張時に開いて不凍液を上部制御室２２の側壁に設けられた連通管２３を介してリザーブタンク（熱媒貯留タンクの一例）２４に流し、不凍液の収縮時には、連通管２３を介してリザーブタンク２４から不凍液を吸い上げる熱媒制御機構２５が設けられている。なお、リザーブタンク２４は、アキュームタンク１７より下位置に設けられている。
図３に示すように、上部制御室２２は、アキュームタンク１７の上面に立設され、熱媒制御機構２５が取付けられ接続口２６を備えた、例えば、管状の取付け部材２７を有し、この取付け部材２７の接続口２６より下方部位には、連通管２３の基部が接続されている。そして、取付け部材２７において、連通管２３が接続された部位より下方の領域は、縮径して内フランジ部２８を形成している。
【００２１】
ここで、熱媒制御機構２５は、取付け部材２７内に取付けられた際に、ばね２９で付勢されて内フランジ部２８の上面に下面を密接する第１の弁体３０と、第１の弁体３０の中央部に形成された貫通孔３１を挿通する軸部３２の先端に取付けられ、軸部３２の基端部に接続する引っ張りばね（図示しない）で上方に付勢されて貫通孔３１の下縁部に密接する第２の弁体３３と、ばね２９、第１の弁体３０、軸部３２、引っ張りばね、及び第２の弁体３３を保持して接続口２６に装入する取付け部材３４とを有している。
このように、アキュームタンク１７の上部に設けられたばね２９、第１の弁体３０、軸部３２、引っ張りばね、及び第２の弁体３３が、アキュームタンク１７の圧力上昇及び圧力下降によって開く液量調整弁を構成している。
【００２２】
なお、第１の弁体３０の厚みは、第１の弁体３０が内フランジ部２８に密接した際に、第１の弁体３０の側部で取付け部材２７内に露出（連通）している連通管２３の開口が覆われないように調整する。また、上部制御室２２とリザーブタンク２４とを接続する連通管２３の先側は、リザーブタンク２４の上面から内部に差し込まれ、連通管２３の先端がリザーブタンク２４の底面と僅少の隙間を有して配置されている。
このように、アキュームタンク１７とリザーブタンク２４は、上記した液量調整弁を介して連結されている。なお、リザーブタンク２４は、これに設けられた開口部（図示しない）により大気開放となっており、リザーブタンク２４内に排出された残留空気が外部に放出される構成となっている。
このように、不凍液の貯留タンクを、アキュームタンク１７とリザーブタンク２４に分離することで、アキュームタンク１７の容量を、例えば、１〜５リットル程度（リザーブタンク２４の容量の１０〜５０％程度）まで小さくできる。
【００２３】
以上の構成とすることで、アキュームタンク１７内の不凍液が膨張すると、不凍液で第１の弁体３０の下面が押圧され、その下面が内フランジ部２８の上面から離脱する。その結果、第１の弁体３０と内フランジ部２８との間に形成された隙間から、不凍液が第１の弁体３０の上方の空間に移動し、連通管２３を介してリザーブタンク２４に流入することになり、アキュームタンク１７内の不凍液の圧力が上昇するのを防止できる。
また、連通管２３の先部が不凍液に浸漬されるように、リザーブタンク２４内に不凍液を予め注入しておくことで、アキュームタンク１７内の不凍液の温度が低下して不凍液が収縮すると、アキュームタンク１７内が負圧状態になって第２の弁体３３がアキュームタンク１７内に引き込まれ、第２の弁体３３が第１の弁体３０の下面から離脱する。その結果、第１の弁体３０の上方の空間とアキュームタンク１７が貫通孔３１を介して連通し、大気圧とアキュームタンク１７内との圧力差に基づいて、リザーブタンク２４から不凍液が連通管２３を介して吸い上げられ、第１の弁体３０の上方の空間を通過してアキュームタンク１７内に流入し、循環路内を不凍液で満たすことができる。
【００２４】
リザーブタンク２４には、その中の不凍液の貯留量を測定する液面計３５（熱媒量測定手段）が設けられている。
液面計３５は、例えば、リザーブタンク２４の底部に近接して設けられた共通電極３６と、リザーブタンク２４の底部から複数、例えば、２つの異なる高さ位置に先端がそれぞれ配置された測定用電極３７、３８（先端高さ位置は、測定用電極３７より測定用電極３８の方が高い）と、共通電極３６及び測定用電極３７、３８間に電圧差を与える電圧源（図示しない）とを有している。更に、液面計３５は、共通電極３６と測定用電極３７間、又は共通電極３６と測定用電極３７及び測定用電極３８間に電流が流れているか否かを検出して、どの測定用電極３７、３８と共通電極３６との間に電流が流れているか否かを報知する、例えば、温水器１０の制御盤（図示しない）内に設けたランプを点灯させる警報信号を出力する判定器（図示しない）を有している。
【００２５】
貯湯用タンク１２の下部には、水道からの給水管３９が接続されている。
給水管３９の上流側（水道側）から下流側（貯湯用タンク１２側）へかけては、減圧弁４０、サーミスタ４１、水量センサー４２、及び逆止弁４３が、順次設けられている。また、給水管３９の下流側端部には、貯湯用タンク１２の水又は湯を排出するための過圧逃し弁４４と排水管９５が設けられている。この排水管９５には、排水弁４４ａが取付けられている。
なお、貯湯用タンク１２には、その高さ方向に複数（ここでは、４個）のサーミスタ４５が設けられ、各高さ位置での水温が測定可能になっている。
【００２６】
貯湯用タンク１２の上部には、台所への給湯管４６が接続されている。なお、給湯管４６の上流側（貯湯用タンク１２側）から下流側（出湯側）へかけては、バキュームブレーカ４７、圧力スイッチ４８、閉止弁４９、バックアップ用の補助熱源手段５０、湯比例弁５１、サーミスタ５２、及び逆止弁５３が、順次設けられている。
この閉止弁４９には、給水管３９の逆止弁４３と過圧逃し弁４４の間に上流側端部が接続された循環管５４の下流側端部が接続されている。なお、循環管５４には、上流側（水道側）から下流側（補助熱源手段５０側）へかけて、比例弁５５とポンプ５６が順次取付けられている。これにより、給水管３９で給水された水を、貯湯用タンク１２を通過させることなく、所定量だけ給湯管４６へ送ることができる。
【００２７】
また、バックアップ用の補助熱源手段５０は、バーナー等の補助熱源５７を有し、その入り側に、水量センサー５８とサーミスタ５９が設けられ、出側にサーミスタ６０と不純物を除去するフィルタ６１が設けられている。これにより、給湯管４６内の湯の温度が低い場合は、補助熱源５７で加熱できる。
そして、給湯管４６に取付けられた湯比例弁５１とサーミスタ５２の間には、給水管３９に取付けられた水量センサー４２と逆止弁４３との間に上流側端部が接続された水供給管６２の下流側端部が接続されている。なお、水供給管６２には、上流側（給水管３９側）から下流側（給湯管４６側）へかけて、逆止弁６３と水比例弁６４とが順次設けられている。これにより、湯比例弁５１と水比例弁６４の開度を調整することで、出湯される湯の温度を調整できる。
【００２８】
なお、水供給管６２に取付けられた逆止弁６３と水比例弁６４との間には、給湯管４６に下流側端部が接続される高温出湯防止管６５の上流側端部が接続されている。この高温出湯防止管６５には、上流側（水供給管６２側）から下流側（給湯管４６側）へかけて、弁６６と逆止弁６７とが順次設けられている。この弁６６は、通電時に閉、非通電時に開となる電磁弁であり、停電時に湯比例弁５１が全開状態で止まった場合でも、水を混ぜることができ、火傷を防止することができる。
そして、給湯管４６に取付けられた補助熱源手段５０と湯比例弁５１との間には、循環管５４に下流側端部が接続された風呂熱交換管６８が接続されている。この風呂熱交換管６８には、上流側（給湯管４６側）から下流側（循環管５４側）へかけて、風呂熱交換器６９と弁７０が順次設けられている。
【００２９】
また、風呂熱交換器６９には、上流側端部と下流側端部が図示しない風呂に接続される風呂循環管７１が設けられている。なお、風呂循環管７１の上流側端部から風呂熱交換器６９へかけては、水位センサー７２、サーミスタ７３、及び水流スイッチ７４が、順次設けられ、風呂熱交換器６９の下流側には、ポンプ７５が設けられている。これにより、風呂内へ供給される湯を、給湯管４６を流れる湯との熱交換により昇温できる。
また、風呂循環管７１に設けられた風呂熱交換器６９とポンプ７５との間には、給湯管４６のサーミスタ５２と逆止弁５３との間に上流側端部が接続されたお湯はり管７６の下流側端部が接続されている。なお、お湯はり管７６には、上流側（給湯管４６側）から下流側（風呂循環管７１側）へかけて、弁７７、水量センサー７８、及び逆止弁７９が、順次設けられている。これにより、所定の温度に調整された湯を、風呂に直接供給できる。
【００３０】
続いて、以上に示した強制循環式太陽熱温水器１０の装置構成のレイアウトについて、図１を参照しながら説明する。
強制循環式太陽熱温水器１０を構成する貯湯用タンク１２、アキュームタンク１７、及びリザーブタンク２４は、１つのケーシング内に収納されている。このケーシングは、底板８０と、底板８０の周囲に立設される側壁（図示しない）とで構成される。
底板８０には、仕切り板８１が立設されており、ケーシング内を２つの空間部８２、８３に分割している。なお、仕切り板８１は、底板８０に取付けられた一対のサポート８４により、その立設状態を維持している。
【００３１】
一方側の空間部８２内には、例えば、直径が３００〜５００ｍｍ、高さが１５００〜２０００ｍｍの円柱状の貯湯用タンク１２が配置されている。
貯湯用タンク１２は、その下部に給水管３９が取付けられているため、複数（ここでは３個）の支持脚８５により、底板８０の上面８６とは空間８７（高さが１００〜２００ｍｍ程度）を有して配置されている。なお、貯湯用タンク１２の上端部は、貯湯用タンク１２が倒れないように、支持板８８を介して仕切り板８１に取付け固定されている。
貯湯用タンク１２と底板８０の上面８６との間に形成された空間８７には、リザーブタンク２４が配置されており、リザーブタンク２４の熱媒注入口８８ａに取付けられたキャップ８９を取外すことで、リザーブタンク２４内への不凍液の補充ができる。
【００３２】
他方側の空間部８３は、底板８０の角部に立設された２本の支柱９０、９１と、この各支柱９０、９１と仕切り板８１の上端部に取付けられた天井板９２とで形成されている。なお、支柱９１は、説明を分かり易くするため、その下部を除く部分を省略している。
この空間部８３の高さ方向中央部には、載置板９３が取付け固定され、この載置板９３上に、循環用ポンプ１６とポンプ７５が取付け固定されている。また、載置板９３には、給水管３９、給湯管４６、及び補助熱源５７へのガスの供給管９４も取付けられている。
この循環用ポンプ１６の上方には、アキュームタンク１７が取付け固定され、このアキュームタンク１７の上方であって、天井板９２の直下には、補助熱源５７が取付け固定されている。このように、貯湯用タンク１２の側方には、仕切り板８１を介してアキュームタンク１７が配置されている。
【００３３】
また、載置板９３より下方の空間部９４ａは、上記したポンプやタンクが配置されていない無機器スペースとなっており、この空間部９４ａを形成する仕切り板８１には、往き管１４、戻り管１５、貯湯用タンク１２の排水弁４４ａ、及び過圧逃し弁４４の排水用ホッパー９６が取付けられている。
また、空間部９４ａには、リザーブタンク２４の熱媒注入口８８ａが突出しているため、リザーブタンク２４内への不凍液の補充が容易である。
以上に示した強制循環式太陽熱温水器１０は、図示しない電源により運転可能となり、その各種機器は、ケーシングに取付けられた制御盤によりその運転が行われ、温水が造られる。
【００３４】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の強制循環式太陽熱温水器を構成する場合も本発明の権利範囲に含まれる。
また、前記実施の形態においては、強制循環式太陽熱温水器の１つの構成について説明したが、強制循環式太陽熱温水器が熱媒量調整タンクと熱媒貯留タンクとを有すれば、前記した構成に限定されるものではない。
【図面の簡単な説明】
【００３５】
【図１】本発明の一実施の形態に係る強制循環式太陽熱温水器の一部切欠き斜視図である。
【図２】同強制循環式太陽熱温水器の作動原理の説明図である。
【図３】同強制循環式太陽熱温水器の熱媒制御機構の説明図である。
【図４】従来例に係る強制循環式太陽熱温水器の作動原理の説明図である。
【符号の説明】
【００３６】
１０：強制循環式太陽熱温水器、１１：集熱板、１２：貯湯用タンク、１３：熱交換器、１４：往き管、１５：戻り管、１６：循環用ポンプ、１７：アキュームタンク（熱媒量調整タンク）、１８、１９：サーミスタ、２０：三方弁、２１：バイパス管、２２：上部制御室、２３：連通管、２４：リザーブタンク（熱媒貯留タンク）、２５：熱媒制御機構、２６：接続口、２７：取付け部材、２８：内フランジ部、２９：ばね、３０：第１の弁体、３１：貫通孔、３２：軸部、３３：第２の弁体、３４：取付け部材、３５：液面計、３６：共通電極、３７、３８：測定用電極、３９：給水管、４０：減圧弁、４１：サーミスタ、４２：水量センサー、４３：逆止弁、４４：過圧逃し弁、４４ａ：排水弁、４５：サーミスタ、４６：給湯管、４７：バキュームブレーカ、４８：圧力スイッチ、４９：閉止弁、５０：補助熱源手段、５１：湯比例弁、５２：サーミスタ、５３：逆止弁、５４：循環管、５５：比例弁、５６：ポンプ、５７：補助熱源、５８：水量センサー、５９：サーミスタ、６０：サーミスタ、６１：フィルタ、６２：水供給管、６３：逆止弁、６４：水比例弁、６５：高温出湯防止管、６６：弁、６７：逆止弁、６８：風呂熱交換管、６９：風呂熱交換器、７０：弁、７１：風呂循環管、７２：水位センサー、７３：サーミスタ、７４：水流スイッチ、７５：ポンプ、７６：お湯はり管、７７：弁、７８：水量センサー、７９：逆止弁、８０：底板、８１：仕切り板、８２、８３：空間部、８４：サポート、８５：支持脚、８６：上面、８７：空間、８８：支持板、８８ａ：熱媒注入口、８９：キャップ、９０、９１：支柱、９２：天井板、９３：載置板、９４：供給管、９４ａ：空間部、９５：排水管、９６：排水用ホッパー
【図１】
2010101562.tif 000003
【図２】
2010101562.tif 000004
【図３】
2010101562.tif 000005
【図４】
2010101562.tif 000006